(57)【要約】【課題】部品点数を極力少なくし、かつ、組立てに要する工程も少なくし、しかも、扉密封用のガスケットを外箱に確実に固定する。【解決手段】外箱２の内側面の開口端部に固定されたフレーム２１に、商品収納庫３の開口平面に沿う第１取付け板部２１Ａとそれの内側端から後方側に延びる第２取付け板部２１Ｂとを形成して、ガスケット１３の取付け部材２２に対する取付け座Ａが構成されているとともに、ガスケット１３の取付け部材２２が、第２取付け板部２１Ｂの後端縁２１ｂに係合する係合部２２Ａと、それを第２取付け板部２１Ｂの後端縁２１ｂに係合させた状態で第１取付け板部２１Ａ側に回動させることにより両取付け板部２１Ａ、２１Ｂの表面に沿って外れ止め状態で装着される取付け基部２２Ｃとから構成されている。【選択図】　　　　図６
2004127232.tif 000002
【特許請求の範囲】
【請求項１】
外箱の内側に断熱壁を設けて形成された商品収納庫と、その商品収納庫の開口部を開閉する扉を備え、商品収納庫の開口部周りに沿って扉密封用のガスケットが固定されているとともに、外箱の内側面の開口端部に固定されたフレームには、商品収納庫の開口平面に沿う第１取付け板部とそれの内側端から後方側に延びる第２取付け板部とを形成して、ガスケットの取付け部材に対する取付け座が構成されている自動販売機の扉密封構造であって、
前記ガスケットの取付け部材が、第２取付け板部の後端縁に係合する係合部と、それを第２取付け板部の後端縁に係合させた状態で第１取付け板部側に回動させることにより両取付け板部の表面に沿って外れ止め状態で装着される取付け基部とから構成されている自動販売機の扉密封構造。
【請求項２】
前記係合部には、断熱壁との当接によって取付け基部の離脱側への回動を阻止する外れ止め部が連設されている請求項１記載の自動販売機の扉密封構造。
【請求項３】
前記取付け基部のうち、第１取付け板部の表面に沿う基板部分には、ガスケットを備えた取付け板部が、少なくとも扉閉動時にそれらの対向面間に閉止状態の空隙を現出する状態で連設されている請求項１又は請求項２記載の自動販売機の扉密封構造。
【請求項４】
前記取付け基部には、係合部を第２取付け板部の後端縁に係合させた状態で第１取付け板部側に回動させたとき、第１取付け板部の表面との間に圧縮変形される変形部が一体的に設けられている請求項１、２又は３記載の自動販売機の扉密封構造。
【請求項５】
前記取付け部材が硬質合成樹脂により成形され、ガスケットが軟質合成樹脂により成形されていて、取付け部材とガスケットとが押出し成形により一体的に形成されている請求項１〜４のいずれか１項に記載の自動販売機の扉密封構造。
【請求項６】
前記ガスケットを備えた取付け板部が、取付け基部の基板部分に対してそれらの対向面間に空隙を形成する状態で片持ち状に一体形成されているとともに、この取付け板部の遊端側には、閉動される扉との当接に伴う取付け板部の弾性変形に連れて基板部分に当接することにより空隙を閉止する当り部が形成されている請求項３記載の自動販売機の扉密封構造。
【請求項７】
前記外れ止め部の遊端部分が、断熱壁から離間する側に屈曲形成されている請求項２記載の自動販売機の扉密封構造。
【請求項８】
前記断熱壁の少なくとも庫内側の表面に樹脂製シートが貼り付けられている請求項１〜７のいずれか１項に記載の自動販売機の扉密封構造。
【発明の詳細な説明】
【０００１】
【発明の属する技術分野】
本発明は、外箱の内側に断熱壁を設けて形成された商品収納庫と、その商品収納庫の開口部を開閉する扉を備え、商品収納庫の開口部周りに沿って扉密封用のガスケットが固定されている自動販売機の扉密封構造に関する。
【０００２】
【従来の技術】
このような扉密封構造は、扉により商品収納庫の開口部を閉じた際、商品収納庫内の冷熱や温熱が逃げないように密封するためのもので、従来は、図９に示すような扉密封構造が採用されている。
この従来の扉密封構造では、板金製の外箱２の内側面における開口端部に固定された補強用のフレーム５０に、商品収納庫３の開口平面に沿う第１取付け板部５０Ａとそれの内側端から後方側（庫内奥側）に延びる第２取付け板部５０ＢとをＬ字上に折り曲げ形成して、ガスケット１３の取付け部材５１に対する取付け座Ａが構成されているとともに、第２取付け板部５０Ｂには、断熱材で形成された雌ネジ部材５２が回り止め状態で取付けられている。
【０００３】
前記ガスケット１３の取付け部材５１は、両取付け板部５０Ａ，５０Ｂの表面に当て付けられる横断面形状が略しの字状の取付け基部５１Ａと、内箱を構成する鋼板製の内側板５３の折り曲げ端縁５３ａを差し込み保持するための溝５１Ｂを取付け基部５１Ａの開口側表面との間で形成する差込み保持部５１Ｃと、ガスケット１３を一体形成してある横断面形状が略Ｌの字状の取付け板部５１Ｄとから構成されているとともに、前記取付け基部５１Ａのうち、補強用フレーム５０の第２取付け板部５０Ｂの表面に沿う基板部分５１ａには、取付け部材５１を補強用フレーム５０側の雌ネジ部材５２にビス５４止めするための取付け孔５５が貫通形成されている。
【０００４】
前記取付け基部５１Ａと差込み保持部５１Ｃ、取付け板部５１Ｄが硬質合成樹脂により成形されているとともに、ガスケット１３が軟質合成樹脂により成形されている。
【０００５】
【発明が解決しようとする課題】
従来では、補強用フレーム５０の取付け座Ａにガスケット１３の取付け部材５１を取付けるにあたり、多数のビス５４が必要不可欠で、しかも、補強用フレーム５０の第２取付け板部５０Ｂには、断熱材で形成された雌ネジ部材５２を回り止め状態で取付ける必要があるため、部品点数が多くなるばかりでなく、ビス５４の締付け工程も必要となり、組立てに要する工程が多くなってコストアップを招くという欠点があった。
【０００６】
本発明は、上述の実状に鑑みて為されたものであって、その主たる課題は、部品点数を極力少なくし、かつ、組立てに要する工程も少なくし、しかも、扉密封用のガスケットを外箱に確実に固定することのできる自動販売機の扉密封構造を提供する点にある。
【０００７】
【課題を解決するための手段】
本発明の請求項１による特徴構成は、外箱の内側に断熱壁を設けて形成された商品収納庫と、その商品収納庫の開口部を開閉する扉を備え、商品収納庫の開口部周りに沿って扉密封用のガスケットが固定されているとともに、外箱の内側面の開口端部に固定されたフレームには、商品収納庫の開口平面に沿う第１取付け板部とそれの内側端から後方側に延びる第２取付け板部とを形成して、ガスケットの取付け部材に対する取付け座が構成されている自動販売機の扉密封構造であって、
前記ガスケットの取付け部材が、第２取付け板部の後端縁に係合する係合部と、それを第２取付け板部の後端縁に係合させた状態で第１取付け板部側に回動させることにより両取付け板部の表面に沿って外れ止め状態で装着される取付け基部とから構成されている点にある。
【０００８】
上記特徴構成によれば、フレームの取付け座にガスケットの取付け部材を取付ける場合、取付け部材の係合部を、フレーム側の第２取付け板部の後端縁に係合したのち、その係合状態のまま第１取付け板部側に回動させることにより、取付け部材の取付け基部を外れ止め状態で両取付け板部の表面に沿って装着することができる。
【０００９】
従って、従来のようにビスや雌ネジ部材などを必要とすることなく、ガスケットを確実に固定することができ、部品点数の削減とそれに伴う組立て工数の減少によりコストダウンを図ることができる。
【００１０】
本発明の請求項２による自動販売機の扉密封構造の特徴構成は、前記係合部には、断熱壁との当接によって取付け基部の離脱側への回動を阻止する外れ止め部が連設されている点にある。
【００１１】
上記特徴構成によれば、フレームの取付け座に取付けられたガスケットの取付け部材に対して外れ方向の外力が作用したとき、係合部に連設された外れ止め部が断熱壁に当接して、係合部と第２取付け板部の後端縁との係合箇所を支点とする取付け基部の離脱側への回動を阻止することができるから、ガスケットを確実、強固に取付けることができる。
【００１２】
本発明の請求項３による自動販売機の扉密封構造の特徴構成は、前記取付け基部のうち、第１取付け板部の表面に沿う基板部分に、ガスケットを備えた取付け板部が、少なくとも扉閉動時にそれらの対向面間に閉止状態の空隙を現出する状態で連設されている点にある。
【００１３】
上記特徴構成によれば、扉を閉じたとき、第１取付け板部の表面に沿う取付け基部の基板部分とガスケットを備えた取付け板部との対向面間に閉止状態の空隙を現出することができるので、この空隙が扉閉じ時に断熱層として機能することになり、取付け部材自体の断熱性能を向上することができる。
【００１４】
本発明の請求項４による自動販売機の扉密封構造の特徴構成は、前記取付け基部に、係合部を第２取付け板部の後端縁に係合させた状態で第１取付け板部側に回動させたとき、第１取付け板部の表面との間に圧縮変形される変形部が一体的に設けられている点にある。
【００１５】
上記特徴構成によれば、取付け部材の係合部を、フレーム側の第２取付け板部の後端縁に係合したのち、その係合状態のまま第１取付け板部側に回動させたとき、取付け部材の取付け基部が外れ止め状態で両取付け板部の表面に沿って装着されると同時に、第１取付け板部の表面と取付け基部との間に変形部が圧縮変形されるから、ガスケットを確実、強固に取付けることができる。
【００１６】
本発明の請求項５による自動販売機の扉密封構造の特徴構成は、前記取付け部材が硬質合成樹脂により成形され、ガスケットが軟質合成樹脂により成形されていて、取付け部材とガスケットとが押出し成形により一体的に形成されている点にある。
【００１７】
上記特徴構成によれば、硬質合成樹脂で成形される取付け部材の係合部及び取付け基部によるガスケットの取付けが一層強固なものになり、しかも、硬質合成樹脂製の取付け部材と軟質樹脂製のガスケットとを押出し成形によって一体的に形成することにより、ガスケット及び取付け部材のコストダウンを図ることができる。
【００１８】
本発明の請求項６による自動販売機の扉密封構造の特徴構成は、前記ガスケットを備えた取付け板部が、取付け基部の基板部分に対してそれらの対向面間に空隙を形成する状態で片持ち状に一体形成されているとともに、この取付け板部の遊端側には、閉動される扉との当接に伴う取付け板部の弾性変形に連れて基板部分に当接することにより空隙を閉止する当り部が形成されている点にある。
【００１９】
上記特徴構成によれば、取付け基部の基板部分とガスケットを備えた取付け板部との対向面間に形成される空隙が、閉動される扉との当接に伴う取付け板部の弾性変形に連れて閉止されるため、この空隙が扉閉じ時に断熱層として機能することになり、取付け部材自体の断熱性能を向上することができる。しかも、取付け基部の基板部分に対してガスケットを備えた取付け板部が片持ち状態で一体形成されていて、閉動される扉との当接に伴って取付け板部が弾性変形することで、取付け板部の遊端側に形成された当り部を基板部分に当接させるから、取付け板部の弾性復元力がガスケットを扉側に押付ける力として機能することになり、ガスケットによるシール性能を向上することができる。
【００２０】
本発明の請求項７による自動販売機の扉密封構造の特徴構成は、前記外れ止め部の遊端部分が、断熱壁から離間する側に屈曲形成されている点にある。
【００２１】
上記特徴構成によれば、取付け部材の係合部を第２取付け板部の後端縁に対して傾斜姿勢で差し込みながら係合させるとき、或いは、フレームの取付け座に取付けられたガスケットの取付け部材に対して外れ方向の外力が作用して、係合部に連設された外れ止め部が断熱壁に当接したとき、外れ止め部の先端による断熱壁の損傷を抑制することができる。
【００２２】
本発明の請求項８による自動販売機の扉密封構造の特徴構成は、前記断熱壁の少なくとも庫内側の表面に樹脂製シートが貼り付けられている点にある。
【００２３】
上記特徴構成によれば、従来のような鋼板製の内箱を必要とせず、断熱壁を形成している断熱材の吸湿を防止して、断熱性能の低下を回避しながら断熱構造の軽量化と製造コストの低廉化を図ることができる。
【００２４】
【発明の実施の形態】
〔第１実施形態〕
図１、図２は、缶入り飲料や壜入り飲料等の商品１を販売する自動販売機を示し、板金製の外箱２の内側に商品収納庫３を形成する断熱壁４を設けてなるキャビネット６には、商品収納庫３の前面開口部のうちの商品投入口５を除く下半開口部に対して揺動開閉自在で、下端側に商品排出口７を備えた断熱構造の下側内扉８Ａと、外箱２の前面開口部に対して揺動開閉自在で、下端側に下側内扉８Ａの商品排出口７を通して送出されてきた商品１を受止める商品受け部９及びこれに受止められた商品１を外部に取り出す商品取出口１０を備えた外扉１１が取付けられているとともに、外扉１１の商品サンプル棚１２の背面には、商品収納庫３の上半側の商品投入口５を覆うことが可能な断熱構造の上側内扉８Ｂが揺動開閉自在に取付けられている。
【００２５】
そのため、当該実施形態では、各別に開閉自在な下側内扉８Ａと上側内扉８Ｂとをもって、商品収納庫３の前面開口部を開閉する内扉８が構成されているとともに、商品収納庫３の開口部周りに沿って扉密封用のガスケット１３が固定され、更に、扉閉止時に下側内扉８Ａと上側内扉８Ｂとの隣接間を密封する補助ガスケット２０が、下側内扉８Ａの上側辺に取付けられている。
【００２６】
前記キャビネット６の商品収納庫３内には、図１、図２に示すように、左右方向で複数のラック装着室３Ａに区画形成するための断熱構造の仕切板１４が設けられ、各ラック装着室３Ａ内に臨む天井壁部には、多数の商品１を下方に払い出し可能な状態で上下方向に沿って積み重ね収納するための商品収納通路を前後方向で複数列形成してある商品収納ラック１５が、前後方向から吊下げ状態で脱着自在に組付けられているとともに、商品収納庫３内の底部側には、商品払出指令信号（販売指令信号）に基づいて商品収納ラック１５の商品収納通路から選択的に払出されてくる商品１を受止めて下側内扉８Ａの商品排出口７及び商品取出口１０側に向かって搬出案内するシュート１６と、庫内送風ファン１７Ａや蒸発器１７Ｂ等を備えた庫内温調ユニット１７が配設され、更に、外箱２内の底部側の庫外空間１８内には、凝縮器１９Ａや送風ファン１９Ｂ等を備えた庫外温調ユニット１９が配設されている。
【００２７】
前記外箱２は、図１、図２に示すように、天板２Ａ、左右一対の側板２Ｂ、背板２Ｃ、底板２Ｄ、商品収納庫３と庫外空間１８とに区画形成する中底板２Ｅとから構成され、天板２Ａ、両側板２Ｂ、背板２Ｃ、中底板２Ｅの各内側面には、断熱壁４の一例で、ウレタンフォーム等の断熱材で方形板状に成型され、かつ、表裏両側面又は表面全体をポリエチレン等の防湿性の樹脂製シート４ａで被覆してある断熱パネルが貼り付けられている。
【００２８】
前記外箱２の天板２Ａ及び両側板２Ｂの各内側面における開口側端部には、図３〜図６に示すように、鋼板製の補強用のフレーム２１が固着されているとともに、各補強用フレーム２１の後部には、商品収納庫３の開口平面に沿う第１取付け板部２１Ａとそれの内側端から後方側に延びる第２取付け板部２１ＢとをＬ字状に屈曲形成して、ガスケット１３の取付け部材２２に対する取付け座Ａが構成されている。
【００２９】
また、各補強用フレーム２１の前後中間部２１Ｃは横断面形状が略ハット状に折曲げ形成されているとともに、各前端部２１Ｄは、天板２Ａの前端折曲げ部２Ａ及び両側板２Ｂの前端折曲げ部２ｂに沿って直角に折曲げ形成されている。
【００３０】
外箱２の天板２Ａに固着される補強用フレーム２１と側板２Ｂに固着される補強用フレーム２１は、ハット状の中間折曲げ部２１Ｃの寸法において若干の相違があるものの、前後長は同一で、かつ、取付け座Ａを構成する第１取付け板部２１Ａ及び第２取付け板部２１Ｂの形状、寸法も同一に構成されているため、各取付け座Ａに固定されるガスケット１３及び取付け部材２２の横断面形状は同一形状に統一形成されている。
【００３１】
そして、上述の如く共通化された各ガスケット１３の取付け部材２２には、図４〜図６に示すように、第２取付け板部２１Ｂの後端縁２１ｂに係合する横断面略コの字又はＵの字状の係合部２２Ａと、それを第２取付け板部２１Ｂの後端縁２１ｂに係合させた状態で第１取付け板部２１Ａ側に回動させることにより両取付け板部２１Ａ，２１Ｂの表面に沿って外れ止め状態で装着される横断面略Ｌ字状の取付け基部２２Ｂと、開口側表面にガスケット１３が一体形成され、かつ、少なくとも扉閉動時において、第１取付け板部２１Ａの開口側表面に沿う取付け基部２２Ｂの基板部分２２ｂとの対向面間に閉止状態の空隙Ｓを現出する取付け板部２２Ｃとが主要構成として備えられている。
【００３２】
図５の（ロ）に示すように、前記取付け基部２２Ｂの基板部分２２ｂが第１取付け板部２１Ａの開口側表面に接触している装着状態では、係合部２２Ａの係合端２２ａが第２取付け板部２１Ｂの後端縁２１ｂよりも前方側に若干突出形成されていて、補強用フレーム２１の取付け座Ａに装着された取付け部材２２の外れ止め手段が構成されているとともに、第２取付け板部２１Ｂの後端縁２１ｂと係合部２２Ａの内底面との対向面間には、取付け部材２２を装着するため若干の空隙が形成されている。
【００３３】
前記係合部２２Ａには、断熱パネル４との当接によって取付け基部２２Ｂの離脱側への回動を阻止する外れ止め部２２Ｄが、後方側（庫内奥側）に向かって突出する状態で連設されているとともに、外れ止め部２２Ｄの遊端部分２２ｄが、断熱パネル４から離間する側に屈曲形成されている。
【００３４】
そのため、補強用フレーム２１の取付け座Ａに取付けられたガスケット１３の取付け部材２２に対して外れ方向の外力が作用したとき、係合部２２Ａに連設された外れ止め部２２Ｄが断熱パネル４に当接して、係合部２２Ａと第２取付け板部２１Ｂの後端縁２１ｂとの係合箇所を支点とする取付け基部２２Ｂの離脱側への回動を阻止することができるから、ガスケット１３を確実、強固に取付けることができる。
【００３５】
しかも、図５の（イ）に示すように、取付け部材２２の係合部２２Ａを第２取付け板部２１Ｂの後端縁２１ｂに対して傾斜姿勢で差し込みながら係合させるとき、或いは、補強用フレーム２１の取付け座Ａに取付けられたガスケット１３の取付け部材２２に対して外れ方向の外力が作用して、係合部２２Ａに連設された外れ止め部２２Ｄが断熱パネル４に当接したときでも、外れ止め部２２Ｄの屈曲遊端部分２２ｄの先端が断熱パネル４に喰い込むことがなく、外れ止め部２２Ｄの先端による断熱パネル４の損傷を抑制することができる。
【００３６】
前記ガスケット１３を備えた取付け板部２２Ｃは、取付け基部２２Ｂの基板部分２２ｂに対してそれらの対向面間に空隙Ｓを形成する状態で片持ち状に一体形成されているとともに、この取付け板部２２Ｃの遊端側には、単独又は外扉１１と共に閉動される内扉８との当接に伴う取付け板部２２Ｃの弾性変形に連れて基板部分２２ｂに当接することにより空隙Ｓを略密封状態に閉止する当り部２２Ｅが一体形成されている。
【００３７】
そして、上述のように、ガスケット１３を備えた取付け板部２２Ｃが取付け基部２２Ｂの基板部分２２ｂに対して片持ち状態で一体形成されていて、閉動される内扉８との当接に伴って取付け板部２２Ｃが弾性変形することで、取付け板部２２Ｃの遊端側に一体形成された当り部２２Ｅが基板部分２２ｂに当接して、この基板部分２２ｂと取付け板部２２Ｃとの対向面間に形成される空隙Ｓが略密閉状態に閉止されるように構成されている場合には、取付け板部２２Ｃの弾性復元力がガスケット１３を内扉８側に押付ける力として機能することになり、ガスケット１３によるシール性能を向上することができる。
【００３８】
前記取付け部材２２を構成する係合部２２Ａ、取付け基部２２Ｂ、取付け板部２２Ｃ、外れ止め部２２Ｄは、例えば、ポリプロピレンや硬質塩化ビニルなどの硬質合成樹脂により一体成形され、ガスケット１３は軟質塩化ビニルなどの軟質合成樹脂により成形されていて、取付け部材２２とガスケット１３とが押出し成形により一体的に形成されている。
〔第２実施形態〕
図７、図８は自動販売機の扉密封構造の別実施形態を示し、前記ガスケット１３の取付け部材２２が、第２取付け板部２１Ｂの後端縁２１ｂに係合する横断面略Ｕの字状の係合部２２Ａと、それを第２取付け板部２１Ｂの後端縁２１ｂに係合させた状態で第１取付け板部２１Ａ側に回動させることにより両取付け板部２１Ａ，２１Ｂの表面に沿って外れ止め状態で装着される横断面略Ｌ字状の取付け基部２２Ｂと、開口側表面にガスケット１３が一体形成された横断面略Ｌ字状の取付け板部２２Ｃとから構成されているとともに、取付け基部２２Ｂのうち、第１取付け板部２１Ａに相対向する第１基板部分２２ｅには、係合部２２Ａを第２取付け板部２１Ｂの後端縁２１ｂに係合させた状態で第１取付け板部２１Ａ側に回動させたとき、第１取付け板部２１Ａの開口側表面との間に圧縮変形される変形部２３が一体的に設けられている。
【００３９】
図８の（ロ）に示すように、前記取付け基部２２Ｂの第１基板部分２２ｅが変形部２３を介して第１取付け板部２１Ａの開口側表面に接触している装着状態では、係合部２２Ａの係合端２２ａが第２取付け板部２１Ｂの後端縁２１ｂよりも前方側に突出形成されていて、補強用フレーム２１の取付け座Ａに装着された取付け部材２２の外れ止め手段が構成されている。
【００４０】
前記変形部２３は、取付け基部２２Ｂのうち、第２取付け板部２１Ｂに相対向する第２基板部分２２ｆ側に向かって傾斜する複数（当該実施形態では二つ）のヒレ状の変形突起から構成されているとともに、各変形突起２３は、取付け基部２２Ｂよりも軟質の合成樹脂材料で製作されている。
【００４１】
つまり、前記取付け部材２２を構成する係合部２２Ａ、取付け基部２２Ｂ、取付け板部２２Ｃは、例えば、ポリプロピレンや硬質塩化ビニルなどの硬質合成樹脂により一体成形され、ガスケット１３、複数の変形突起２３は軟質塩化ビニルなどの軟質合成樹脂により成形されていて、取付け部材２２とガスケット１３、複数の変形突起２３は押出し成形により一体的に形成されている。
【００４２】
また、外箱２の構成部材である天板２Ａ、両側板２Ｂ、背板２Ｃ、中底板２Ｅの各内側面には、断熱壁４の一例で、ウレタンフォーム等の断熱材で方形板状に成型され、かつ、庫内側に臨む内側面とそれに連続する端面をポリエチレン等の防湿性の樹脂製シート４ａで被覆してある断熱パネルが貼り付けられているとともに、断熱パネル４のうち、補強用フレーム２１の取付け座Ａに対向する角部には、第２取付け板部２１Ｂの後端縁２１ｂに対する取付け部材２２の係合部２２Ａの係合操作を許容するための空間を形成する傾斜面４Ａが形成されている。
尚、その他の構成は、第１実施形態で説明した構成と同一であるから、同一の構成箇所には、第１実施形態と同一の番号を付記してそれの説明は省略する。
【００４３】
〔その他の実施形態〕
（１）上述の各実施形態では、ガスケット１３と取付け部材２２を押出し成形により一体的に形成したが、ガスケット１３と取付け部材２２を別々に形成し、両者を互いに固着して構成することもできる。
すなわち、ガスケット１３と取付け部材２２とを別々の押出し成形機により各別に形成して、その後、両者を接着剤などにより接着して一体化することもできる。
その場合、取付け部材２２を取付け部材２２の長手方向の全長に亘って接着することも、また、多数の取付け部材２２を取付け部材２２の長手方向に沿って間隔を置いて接着することもできる。
【００４４】
（２）上述の各実施形態のように、外箱２の天板２Ａに固着される補強用フレーム２１の取付け座Ａの構造と、側板２Ｂに固着される補強用フレーム２１の取付け座Ａの構造を統一して、各取付け座Ａに固定されるガスケット１３及び取付け部材２２の横断面形状を同一形状に構成することにより、部品の共通化によって製造コストの低廉化を図ることができるが、天板２Ａ及び側板２Ｂに固着される補強用フレーム２１の構造が異なる場合には、各補強用フレーム２１の取付け座Ａの構造に応じた複数種類の取付け部材２２を製作することになる。
【００４５】
（３）上述の各実施形態では、ウレタンフォーム等の断熱材で製作された断熱パネル４の表面のうち、少なくとも商品収納庫３内に臨む内側面を含む複数の面を防湿性の樹脂製シート４ａで被覆したが、庫内に臨む内側面のみを防湿性の樹脂製シート４ａで被覆してもよい。
【図面の簡単な説明】
【図１】本発明の第１実施形態を示す自動販売機全体の斜視図
【図２】自動販売機全体の断面側面図
【図３】補強用フレームを取付け前の要部の分解斜視図
【図４】ガスケットの取付け部材を取付ける前の要部の分解斜視図
【図５】（イ）はガスケットの取付け部材を取付ける前の要部の拡大断面図
（ロ）はガスケットの取付け部材を取付けたときの要部の拡大断面図
【図６】扉閉止時におけるガスケット及び取付け部材の変形状態を示す要部の拡大断面図
【図７】本発明の第２実施形態を示し、ガスケットの取付け部材を取付ける前の要部の分解斜視図
【図８】（イ）はガスケットの取付け部材を取付ける前の要部の拡大断面図
（ロ）は扉閉止時におけるガスケット及び取付け部材の変形状態を示す要部の拡大断面図
【図９】従来の扉密封構造を示す要部の拡大断面図
【符号の説明】
Ａ　　　取付け座
Ｓ　　　空隙
２　　　外箱
３　　　商品収納庫
４　　　断熱壁（断熱パネル）
４ａ　　樹脂製シート
８　　　扉（内扉）
１３　　ガスケット
２１　　フレーム（補強用フレーム）
２１Ａ　第１取付け板部
２１Ｂ　第２取付け板部
２１ｂ　後端縁
２２　　取付け部材
２２Ａ　係合部
２２Ｂ　取付け基部
２２Ｃ　取付け板部
２２Ｄ　外れ止め部
２２Ｅ　当り部
２２ｂ　基板部分
２２ｄ　遊端部分
２３　　変形部（変形突起部）
【図１】
2004127232.tif 000003
【図２】
2004127232.tif 000004
【図３】
2004127232.tif 000005
【図４】
2004127232.tif 000006
【図５】
2004127232.tif 000007
【図６】
2004127232.tif 000008
【図７】
2004127232.tif 000009
【図８】
2004127232.tif 000010
【図９】
2004127232.tif 000011